(57)【要約】【課題】  蓋が以前に開けられたか否か、または蓋が以前に容器から取り外されたか否かを明確に示すインジケータを有する蓋及びそのような蓋を有する容器を提供する。【解決手段】  容器（１）の蓋（２）において、前記蓋（２）の半径方向外側の縁領域（８）に、梃子工具を貫通させる開蓋領域（９）が形成されると共に、当該開蓋領域（９）の下方にリム（１０）が形成されて、梃子工具の自由端を当該リム（１０）の下で蓋（２）に押し当てた状態でリム（１０）に対して梃子工具をピボット回転させることにより、容器（１）から蓋（２）を少なくとも部分的に持ち上げることができるように成され、前記開蓋領域（９）の縁には、梃子工具が当該開蓋領域（９）に差し込まれたとき、または前記蓋（２）が梃子の原理で開けられたときに、前記蓋（２）から引きちぎられ、または破壊される少なくとも１つの部分（１１）を形成した。【選択図】図２
2010517883.tif 000002
【特許請求の範囲】
【請求項１】
容器（１）の蓋（２）において、前記蓋（２）の半径方向外側の縁領域（８）に、梃子工具を貫通させる開蓋領域（９）が形成されると共に、当該開蓋領域（９）の下方にリム（１０）が形成されて、梃子工具の自由端を当該リム（１０）の下で蓋（２）に押し当てた状態でリム（１０）に対して梃子工具をピボット回転させることにより、容器（１）から蓋（２）を少なくとも部分的に持ち上げることができるように成され、前記開蓋領域（９）の縁には、梃子工具が当該開蓋領域（９）に差し込まれたとき、または前記蓋（２）が梃子の原理で開けられたときに、前記蓋（２）から引きちぎられ、または破壊される少なくとも１つの部分（１１）が形成されたことを特徴とする蓋（２）。
【請求項２】
前記開蓋領域（９）が、前記蓋（２）の周方向に延びる溝穴の形態に設計され、当該溝穴の蓋（２）側の縁が、蓋（２）を開けたときに引き裂かれる幅の狭いウェブとして設計されて成る請求項１記載の蓋。
【請求項３】
前記開蓋領域（９）が、工具の差込みの前にカバーによって密封され、梃子工具を前記開蓋領域（９）内へ、または、前記リム（１０）まで差し込んだときに破壊されるタイによって、前記カバーが前記開蓋領域（９）の縁に接続された請求項１又は２記載の蓋。
【請求項４】
前記蓋（２）の前記半径方向外側の縁領域（８）が、実質的に半径方向に延びるフランジの形態に設計され、前記フランジの半径方向内側に隣接して、実質的にＶ字形の断面を有する領域があり、前記領域の外側面には、凹み（１３）を有する実質的に軸方向に延びる環状部分（１２）があり、前記環状部分（１２）の半径方向外側の縁に、前記梃子工具のためのリム（１０）が形成された請求項１乃至３いずれか記載の蓋。
【請求項５】
前記凹み（１３）が、半径方向内側を向いた直角の屈曲部の形態を有する請求項４記載の蓋。
【請求項６】
前記凹み（１３）は、前記蓋（２）の前記半径方向に延びるフランジから遠い方の端が、半径方向外側を向いた環状突起（１４）を示し、当該環状突起（１４）の外側面に、内側へ傾斜した表面（１５）が形成された請求項４又は５記載の蓋。
【請求項７】
前記蓋（２）の前記半径方向に延びるフランジの外側の縁（７）が、前記Ｖ字形領域の前記半径方向に延びる部分（１２）の方向に傾斜した設計となっている請求項４乃至６いずれか記載の蓋。
【請求項８】
請求項１乃至７いずれか記載の蓋（２）を有する容器（１）であって、容器壁（３）と、容器底（４）と、開口リム（６）を有する容器開口（５）とを備え、前記蓋（２）が、前記開口リム（６）の半径方向内側の側面に接して配置され、前記蓋（２）を、前記容器（１）の内側に接して前記容器（１）の中にスナップ嵌めまたは締付け嵌めすることができる容器（１）。
【請求項９】
請求項４乃至７いずれか記載の蓋（２）を有する容器において、前記容器開口（５）が、内側へ延びる開口リム（６）を示し、前記開口リム（６）に対して、前記蓋の半径方向外側の縁（７）が当接することを特徴とする容器。
【請求項１０】
半径方向内側へ延びる前記容器開口（５）の前記開口リム（６）が、内側で、フランジ部分（２１）へと移行し、前記フランジ部分（２１）が、前記容器底（４）に対して傾斜しており、前記フランジ部分（２１）と前記リム（１０）の間に、前記梃子工具の自由端を差し込んで、その自由端を当該リム（１０）の下で蓋（２）に押し当てることができるように隙間が形成された請求項９記載の容器。
【請求項１１】
前記傾斜したフランジ部分（２１）の前記容器底（４）に近い方の端が、前記蓋（２）の前記Ｖ字形領域の前記実質的に軸方向に延びる部分（１２）の凹み（１３）にスナップ式にはまり、前記梃子工具のための前記リム（１０）の周囲に隙間を残す半径方向内側を向いた周囲突起（２２）を備えた請求項１０に記載の蓋を有する容器。
【請求項１２】
前記突起（２２）がＴ字形の断面を有するように設計された請求項１１に記載の蓋を有する容器。
【発明の詳細な説明】
【技術分野】
【０００１】
本発明は、容器の蓋、さらに蓋を有する容器に関し、容器は、容器壁と、容器底と、開口リム（ｏｐｅｎｉｎｇ  ｒｉｍ）を有する容器開口とを有し、その蓋は、開口リムの半径方向内側の側面に接して配置され、開口リムの中にスナップ嵌め（ｓｎａｐｐｅｄ）または締付け嵌め（ｃｌａｍｐｅｄ）される。
【背景技術】
【０００２】
この種の蓋を有する容器として、例えば、容器壁から半径方向内側に突き出た開口リムが容器開口に形成され、開口リムの中に、締付け嵌めまたはスナップ嵌めによって蓋が止められるペイントポット（ｐａｉｎｔ  ｐｏｔ）がある。
同様に、容器の半径方向内側に蓋が止まる開口リムが形成された他の物質用の容器、特に液体用の容器についても適用可能である。
【０００３】
開口リムは、例えば上述のペイントポットの場合にように、容器壁から内側に突き出して形成され、容器を移動させる場合に、容器内に保持された物質、例えばペイント、ワニスなどが容器開口から容易に漏れることを防ぐ役割を果たすことができる。さらに、内側に突き出たリムは、ペイント、ワニスなどの容器内に保持された液体を工具、例えばはけから拭い取ることを可能にする。
【０００４】
蓋及び容器は、任意の所望の断面形状、特に円形、楕円形、正方形または所望の長方形の断面を有することができる。
【０００５】
この種の容器は一般に、容器の開口リムの上、蓋の環状リム・フランジ（ｆｌａｎｇｅ）の下に工具を差し込んで開けられ、蓋は、この工具の助けを借り、梃子の要領で開けることによって容器の開口リムから取り外される。容器が蓋で密閉されている場合、おそらくは梃子工具（ｌｅｖｅｒｉｎｇ  ｔｏｏｌ）によって付けられたわずかな傷を除けば、蓋が以前に既に取り外されたか否かを知ることはできない。
【発明の概要】
【発明が解決しようとする課題】
【０００６】
本発明の目的は、蓋が以前に開けられたか否か、または蓋が以前に容器から取り外されたか否かを明確に示すインジケータを有する蓋及びそのような蓋を有する容器を提供することにある。
【課題を解決するための手段】
【０００７】
本発明によれば、この目的は、蓋の半径方向外側の縁領域に、梃子工具を貫通させる開蓋領域が形成されると共に、開蓋領域の下方にリムが形成されて、梃子工具の自由端を当該リムの下で蓋に押し当てた状態でリムに対して梃子工具をピボット回転させることにより、容器から蓋を少なくとも部分的に持ち上げることができるように成され、前記開蓋領域の縁には、梃子工具が開蓋領域に差し込まれたとき、または蓋が梃子の原理で開けられたときに、蓋から引きちぎられ、または破壊される少なくとも１つの部分を形成することによって解決される。
【０００８】
工具が使用されたときに開蓋領域のリム上の部分が引きちぎられ得るようにすることにより、以前に蓋が既に容器リムから取り外されたか否かを明確に判定することができる。したがって、引きちぎられた部分を有する蓋の開蓋領域は、蓋で密閉された容器に対するいたずら防止シールの役目を果たす。
【０００９】
本発明の好ましい一実施形態では、開蓋領域が蓋の縁領域に貫通穴として設計され、蓋を梃子の要領で開ける適当な工具を貫通させることができるようになっている。この貫通穴は、蓋の半径方向外側の方を向いたリムを備え、このリムは、蓋を梃子の要領で開けたときに引き裂かれうる幅の狭いウェブとして設計される。
【００１０】
特に、この貫通穴を、蓋の周囲方向に延びる溝穴の形態に設計することができる。
【００１１】
本発明の他の発展形態では、開蓋領域を工具の差込みの前にカバーによって密封し、梃子工具を前記開蓋領域内へ、または、前記リムまで差し込んだときに破壊されるタイ（ｔｉｅ）によって、カバーを前記開蓋領域の縁に接続した態様に設計される。
【００１２】
カバーによって初めから少なくとも部分的に密封されたこの開蓋領域は、蓋の半径方向外側を向いたリム部分を示すことができる。このリム部分も同様に、工具によって蓋が梃子の要領で外されたときに引き裂かれうるような態様の、例えば幅が狭いウェブとして設計することができる。
【００１３】
本発明の好ましい一実施形態では、蓋の半径方向外側の縁領域が、実質的に半径方向に延びるフランジの形態に設計され、フランジの半径方向内側に隣接して、実質的にＶ字形の断面を有する領域があり、特に、この領域の外側面には、凹みを有する実質的に軸方向に延びる環状部分があり、環状部分の半径方向外側の縁が、梃子工具を配置するための蓋のリムを形成する。
【００１４】
この凹みは特に、半径方向内側を向いた直角の屈曲部の形態を有することができる。
【００１５】
さらに、凹みの蓋の半径方向に延びるフランジから遠い方の端は、半径方向外側を向いた環状突起を示すことができ、環状突起の外側面は、内側へ傾斜した表面へと移行する。
【００１６】
蓋の軸方向に延びる環状部分の外側面の凹みは、その蓋で密閉される容器の内側の容器開口の領域にある、内側を向いた突起と係合する役目を果たす。したがって、スナップ嵌め接続によって容器開口の開口リムに蓋を固定することができる。一方、蓋の実質的に軸方向に延びる環状部分も、容器開口の半径方向内側のリムに締付け嵌めすることができる。この場合、容器開口と相互作用する蓋の環状部分は、便宜上、わずかに円錐形の設計を有する。
【００１７】
半径方向外側を向いた環状突起に隣接した、または内側を向いた直角の屈曲部に直に隣接した内側に傾斜した表面は、内側リムに蓋を嵌めるときのガイド／中心合せ補助機構の役目を果たす。
【００１８】
傾斜した表面の蓋の縁領域から軸方向に遠い方の端に、軸方向の環状フランジを一体成形することができる。
【００１９】
軸方向の環状フランジ、傾斜した表面、または蓋の実質的に軸方向に延びる環状部分の半径方向内側を向いた直角の屈曲部から出発して、半径方向内側へ、及び蓋の縁領域へ向かって軸方向へ、実質的に蓋の縁領域の高さまで延びる円錐形の環状領域が、蓋の縁領域から出発して、蓋の断面が実質的にＶ字形の設計を有するように提供される。このＶ字形領域は、実質的に台形の部分を経て、軸方向内側へずらされた蓋の中央領域へと移行する。
【００２０】
蓋の半径方向に延びるフランジの外側の縁は、Ｖ字形領域の半径方向に延びる部分の方向に傾斜した設計とすることができる。後により詳細に説明するように、蓋の外側の傾斜した縁の目的は、蓋を梃子の要領で開ける考察の余地がある工具が、蓋の半径方向に延びるフランジがその上にある、または蓋の半径方向に延びるフランジがそこから非常に小さな隙間によって分離された容器開口のリム領域と、蓋の半径方向に延びるフランジの外側の縁との間に到達できないことを保証することである。縁のこの傾斜設計はさらに、蓋の縁領域を梃子の要領で開け、蓋の外側の縁と容器開口のリムとの間の領域に入るために、工具が縁領域の外側の上縁に作用することを防ぐ。
【００２１】
上述の目的は、上記の設計特微を有する蓋を有する容器であって、容器が、容器壁と、容器底と、開口リムを有する容器開口を示し、この文脈において、蓋が、開口リムの半径方向内側の側面に接して配置され、蓋を、容器の内側に接して容器の中にスナップ嵌めまたは締付け嵌めすることができる容器によっても解決される。この容器の好ましい一実施形態では、容器開口が、内側へ延びるリムを示し、この開口リムに対して、蓋の半径方向外側の縁が当接する。
【００２２】
容器の適当な一発展形態では、半径方向内側へ延びる容器開口の開口リムが、内側で、フランジ部分へと移行し、このフランジ部分が、容器底に対して傾斜しており、フランジ部分と配置リムの間に梃子工具の自由端を差し込むことができ、梃子工具の自由端が、配置リムの下に作用することができるように、梃子工具を配置するための蓋のリムからの隙間を示す。
【００２３】
傾斜したフランジ部分の容器底に近い方の端は、蓋のＶ字形領域の実質的に軸方向に延びる部分の凹みにスナップ式にはまり、梃子工具を配置するためのリムの周囲に隙間を残す半径方向内側を向いた周囲突起を備えることができる。
【００２４】
突起はＴ字形の断面を有するように設計されることが好ましい。
【００２５】
以下では、本発明の実施例が、図面に基づいて詳細に説明される。
【図面の簡単な説明】
【００２６】
【図１】容器と蓋とを備える一実施例の縦断面図である。
【図２】図１のリム領域Ａの拡大図である。
【図３】図１及び２に示された容器の蓋の上面図である。
【図４】図３のリム領域Ｂの拡大図である。
【図５】図４の線Ｃ−Ｃに沿った断面図である。
【図６】図３に示された蓋の縦断面図である。
【図７】図６のリム領域Ｄの拡大図である。
【発明を実施するための形態】
【００２７】
図１及び図２は、蓋２を有する容器１を示し、容器１は、容器壁３と、容器底４と、開口リム６を有する容器開口５とを示す。蓋２は、開口リム６の半径方向内側の側面に接して配置され、開口リム６の中にスナップ嵌めまたは締付け嵌めすることができる。
【００２８】
蓋２を有する容器１はペイントポットであり、容器１及び蓋２は射出成形によって製造される。
【００２９】
容器開口５は、半径方向内側へ延びる開口リム６を備え、開口リム６の半径方向内側の側面に、蓋２の半径方向外側の縁７が当接している。
【００３０】
図３〜図５に示されているとおり、蓋２の半径方向外側の縁領域８に開蓋領域９が形成されている。この開蓋領域９の目的は、蓋を開けるため、梃子工具をこの領域に差し込むことができることである。
【００３１】
特に図５に示されているように、蓋２は、その縁領域８の下方に、すなわち縁領域８から軸方向にある距離を置いたところにリム１０を示し、リム１０の下で、梃子工具の自由端が蓋に作用することができ、リム１０に対して工具をピボット回転させることによって、蓋２を、容器１から少なくとも部分的に持ち上げることができる。開蓋領域９の縁は、梃子工具によって蓋が梃子の要領で開けられたときに引き裂かれうる少なくとも１つの部分１１を示す。
【００３２】
部分１１の状態は、以前に容器１から蓋２が取り外されたことがないのか、または以前に容器１から蓋２が取り外されたことがあるのかを指示する。取り外されたことがない場合には、部分１１は損傷を受けておらず、取り外されたことがある場合には、工具によって蓋２を梃子の要領で持ち上げる際に、部分１１は引き裂かれている。この場合、工具は容器１の開口リム６上に支持されることとなる。
【００３３】
図３に示されているように、開蓋領域９は、蓋２の周囲方向に延びる溝穴の形態に設計され、溝穴の縁の部分１１は、開蓋領域９の外側面に延びる幅の狭いウェブ（ｗｅｂ）の形態を有する。この場合、部分１１及び容器１の開口リム６上に支持される梃子工具によって蓋２が持ち上げられると、これにより部分１１が引きちぎられる。
【００３４】
図５から図７にさらに示されているように、蓋２の半径方向外側の縁領域８は、実質的に半径方向に延びるフランジの形態に設計され、このフランジの半径方向内側に隣接して、実質的にＶ字形の断面を有する領域がある。前記領域は、その外側面に凹み１３を有する実質的に軸方向に延びる環状部分１２を包含し、環状部分１２の半径方向外側のリム１０は、梃子工具を配置するためのリムを形成する。凹み１３は、半径方向内側を指す環状部分１２の直角の屈曲部として設計される。
【００３５】
さらに、凹み１３の蓋２の縁領域８から遠い方の端は、半径方向外側を向いた環状突起１４を示し、環状突起１４の外側面は内側へ傾斜した表面１５へと移行する。傾斜した表面１５の、蓋２の縁領域８から軸方向に遠い方の端に、軸方向の環状フランジ１６が一体成形される。環状フランジ１６から円錐形の環状領域１７が延び、円錐形の環状領域１７は、半径方向内側へ、及び蓋２の縁領域８へ向かって軸方向へ、実質的に蓋２の縁領域８の高さまで延びる。蓋２の縁領域８から出発して、蓋２の断面は、半径方向内側の方向に、実質的にＶ字形の設計を有する。このＶ字形領域は、実質的に台形の部分１８を経て、軸方向内側へずらされた蓋２の中央領域１９へと移行する。
【００３６】
外側の縁７及び幅が狭いウェブとして設計された蓋２の開蓋領域９の縁の部分１１は、図６及び図７に示されているように、外側へ向かって下方へ傾斜している。縁７及び部分１１のこの傾斜設計の目的は、蓋２を開けるための梃子工具を差し込んだときに、その工具が、非常に小さな隙間を介して蓋２の縁領域８を載せている容器開口５の開口リム６と、蓋２の外側の縁７あるいは部分１１との間に達しないようにすることである。
この傾斜設計はさらに、蓋２の外側の縁７と容器開口５の開口リム６との間の領域に梃子工具を差し込んで開けるときに、梃子工具が縁７の上端に作用することを防いでいる。
【００３７】
特に図２に示されているように、蓋２は、下記のように容器１に接続される。
【００３８】
容器１の開口側の端は、別個に射出成形されたプラスチック製の枠２０を示し、枠２０は、容器１の開口側端にスナップ嵌めされる。枠２０は、容器壁３から半径方向内側へ突き出た容器１の開口リム６を形成する。開口リム６は、実質的に半径方向へ延びる環状フランジとして設計され、環状フランジの半径方向内側の端は、容器底４に対して傾斜した円錐形のフランジ部分２１へと移行する。梃子工具の自由端を円錐形フランジ部分２１とリム１０の間に差し込み、リム１０下に配置することができるように、円錐形のフランジ部分２１は、梃子工具を配置するために使用される蓋２のリム１０からある距離を置いて位置する。円錐形フランジ部分２１の容器底４に近い方の端には、半径方向内側を向いた環状突起２２が配置され、環状突起２２を、蓋２の軸方向へ延びる環状部分１２の凹み１３の中へスナップ嵌めすることができる。突起２２は、Ｔ字形の断面を有するように設計され、半径方向に延びる環状ウェブと軸方向に延びるより幅の広い領域とを有し、より幅の広い領域は、蓋２のリム１０と突起１４の間にスナップ式にはまり込む。突起２２のこのＴ字形設計のため、蓋２のリム１０と枠２０の円錐形フランジ部分２１との間に隙間ができ、工具は、蓋２を梃子の要領で開けるため、この隙間を通ってリム１０の下に挿し入れることができる。
【符号の説明】
【００３９】
１  容器
２  蓋
３  容器壁
４  容器底
５  容器開口
６  開口リム
７  半径方向外側の縁
８  縁領域
９  開蓋領域
１０  リム
１１  部分
１２  環状部分
１３  凹み
１４  突起
１５  表面
１６  環状フランジ
１７  円錐形領域
１８  台形部分
１９  中央領域
２０  枠
２１  円錐形フランジ部分
２２  突起
【図１】
2010517883.tif 000003
【図２】
2010517883.tif 000004
【図３】
2010517883.tif 000005
【図４】
2010517883.tif 000006
【図５】
2010517883.tif 000007
【図６】
2010517883.tif 000008
【図７】
2010517883.tif 000009
【国際調査報告】
2010517883.tif 000010
2010517883.tif 000011
2010517883.tif 000012
2010517883.tif 000013
2010517883.tif 000014
2010517883.tif 000015